(57)【要約】【課題】本発明は、広帯域無線通信システムを提供し、特に、広帯域無線通信システムにおける端末の基地局接続を制御するための装置及び方法を提供する。【解決手段】回路は、端末の無線通信網の基地局へのエントリー（ｅｎｔｒｙ）試みを禁止することを判断する制御機を備え、制御機は、エントリー試みの禁止を表すタイマー値を含むＭＡＣ（Ｍｅｄｉａ  Ａｃｃｅｓｓ  Ｃｏｎｔｒｏｌ）管理メッセージを生成する手順を構成し、タイマー値は、エントリーが禁止される期間を指定する。
2011507384.tif 000002
【特許請求の範囲】
【請求項１】
端末の無線通信網の基地局へのエントリー（ｅｎｔｒｙ）試みを禁止することを判断する制御機を備え、
前記制御機は、エントリー試みの禁止を表すタイマー値を含むＭＡＣ（Ｍｅｄｉａ  Ａｃｃｅｓｓ  Ｃｏｎｔｒｏｌ）管理メッセージを生成する手順を構成し、
前記タイマー値は、前記エントリーが禁止される期間を指定することを特徴とする回路（ｃｉｒｃｕｉｔ）。
【請求項２】
前記エントリーは、初期レンジング及びハンドオーバ（ｈａｎｄｏｖｅｒ）のうちの何れか一つであることを特徴とする請求項１に記載の回路。
【請求項３】
前記ＭＡＣ管理メッセージは、前記端末からの初期レンジング要請に対する応答であるレンジング応答メッセージであることを特徴とする請求項２に記載の回路。
【請求項４】
前記レンジング応答メッセージは、前記初期レンジング要請の受諾又は拒否を知らせるレンジング状態情報を含むことを特徴とする請求項３に記載の回路。
【請求項５】
前記レンジング応答メッセージは、エントリーを勧める他のＦＡ（Ｆｒｅｑｕｅｎｃｙ  Ａｌｌｏｃａｔｉｏｎ）を知らせる情報を含むことを特徴とする請求項３に記載の回路。
【請求項６】
前記ＭＡＣ管理メッセージは、少なくとも一つのターゲット基地局に対する前記端末のスキャニングに対する応答であるハンドオーバ応答メッセージであることを特徴とする請求項２に記載の回路。
【請求項７】
前記ハンドオーバ応答メッセージは、前記端末がハンドオーバ可能な少なくとも一つのターゲット基地局候補に対する情報を含むことを特徴とする請求項６に記載の回路。
【請求項８】
前記ＭＡＣ管理メッセージは、前記端末にターゲット基地局へのハンドオーバを指示するハンドオーバ要請メッセージであることを特徴とする請求項２に記載の回路。
【請求項９】
前記制御機は、前記端末に含まれることを特徴とする請求項１に記載の回路。
【請求項１０】
前記端末は、前記エントリーが禁止される期間を決定するタイマーをさらに備えることを特徴とする請求項９に記載の回路。
【請求項１１】
前記端末は、前記基地局への初期レンジングが拒否された後、前記期間が満了するまで、前記基地局への初期レンジングの追加的試みを中断することを特徴とする請求項１０に記載の回路。
【請求項１２】
前記端末は、前記期間が満了するまで、前記基地局へのハンドオーバの追加的試みを中断することを特徴とする請求項１０に記載の回路。
【請求項１３】
前記制御機は、前記基地局に含まれることを特徴とする請求項１に記載の回路。
【請求項１４】
前記制御機は、前記端末の前記基地局への初期レンジング試みが前記時間期間の満了時まで禁止されるように、前記基地局により前記初期レンジングが拒否された後、前記タイマー値を前記端末に送信することを特徴とする請求項１３に記載の回路。
【請求項１５】
前記制御機は、前記端末の前記基地局へのハンドオーバ試みが前記期間の満了時まで禁止されるように、ハンドオーバが始まった後、前記タイマー値を前記端末に送信することを特徴とする請求項１３に記載の回路。
【請求項１６】
端末の無線通信網の基地局へのエントリー試みを禁止することを判断する過程と、
エントリー試みの禁止を表すタイマー値を含むＭＡＣ（Ｍｅｄｉａ  Ａｃｃｅｓｓ  Ｃｏｎｔｒｏｌ）管理メッセージを処理する過程と、を含み、
前記タイマー値は、前記エントリーが禁止される期間を指定することを特徴とする方法（ｍｅｔｈｏｄ）。
【請求項１７】
前記エントリーは、初期レンジング及びハンドオーバのうちの何れか一つであることを特徴とする請求項１６に記載の方法。
【請求項１８】
前記ＭＡＣ管理メッセージは、前記端末からの初期レンジング要請に対する応答であるレンジング応答メッセージであることを特徴とする請求項１７に記載の方法。
【請求項１９】
前記レンジング応答メッセージは、前記初期レンジング要請の受諾又は拒否を知らせるレンジング状態情報を含むことを特徴とする請求項１８に記載の方法。
【請求項２０】
前記レンジング応答メッセージは、エントリーを勧める他のＦＡ（Ｆｒｅｑｕｅｎｃｙ  Ａｌｌｏｃａｔｉｏｎ）を知らせる情報を含むことを特徴とする請求項１８に記載の方法。
【請求項２１】
前記ＭＡＣ管理メッセージは、少なくとも一つのターゲット基地局に対する前記端末のスキャニングに対する応答であるハンドオーバ応答メッセージであることを特徴とする請求項１７に記載の方法。
【請求項２２】
前記ハンドオーバ応答メッセージは、前記端末がハンドオーバ可能な少なくとも一つのターゲット基地局候補に対する情報を含むことを特徴とする請求項２１に記載の方法。
【請求項２３】
前記ＭＡＣ管理メッセージは、前記端末にターゲット基地局へのハンドオーバを指示するハンドオーバ要請メッセージであることを特徴とする請求項１７に記載の方法。
【請求項２４】
前記ＭＡＣ管理メッセージを処理する過程は、前記端末が前記基地局から前記ＭＡＣメッセージを受信する過程を含むことを特徴とする請求項１６に記載の方法。
【請求項２５】
前記基地局への初期レンジングが拒否された後、前記期間が満了するまで、前記基地局への初期レンジングの追加的試みを中断する過程をさらに含むことを特徴とする請求項２４に記載の方法。
【請求項２６】
前記期間が満了するまで、前記基地局へのハンドオーバの追加的試みを中断する過程をさらに含むことを特徴とする請求項２４に記載の方法。
【請求項２７】
前記ＭＡＣ管理メッセージを処理する過程は、前記基地局が前記ＭＡＣ管理メッセージを前記端末に送信する過程を含むことを特徴とする請求項１６に記載の方法。
【請求項２８】
前記ＭＡＣ管理メッセージを処理する過程は、前記端末の前記基地局への初期レンジング試みが前記期間の満了時まで禁止されるように、前記基地局により前記初期レンジングが拒否された後、前記タイマー値を前記端末に送信する過程を含むことを特徴とする請求項２７に記載の方法。
【請求項２９】
前記ＭＡＣ管理メッセージを処理する過程は、前記端末の前記基地局へのハンドオーバ試みが前記期間の満了時まで禁止されるように、ハンドオーバが始まった後、前記タイマー値を前記端末に送信する過程を含むことを特徴とする請求項２７に記載の方法。
【発明の詳細な説明】
【技術分野】
【０００１】
本発明は、広帯域無線通信システムに関し、特に、広帯域無線通信システムにおける端末の基地局接続を制御するための装置及び方法に関する。
【背景技術】
【０００２】
次世代通信システムである４世代（４ｔｈ  Ｇｅｎｅｒａｔｉｏｎ：以下、４Ｇとする）通信システムでは、約１００Ｍｂｐｓの送信速度を利用して多様なサービス品質（Ｑｕａｌｉｔｙ  ｏｆ  Ｓｅｒｖｉｃｅ；以下、Ｑｏｓとする）を有するサービスをユーザに提供するための研究が盛んに進められている。特に、現在４Ｇ通信システムでは、無線近距離通信ネットワークシステム及び無線メトロポリタンエリアネットワークシステムのような広帯域無線アクセス（Ｂｒｏａｄｂａｎｄ  Ｗｉｒｅｌｅｓｓ  Ａｃｃｅｓｓ：ＢＷＡ）通信システムに、移動性とＱｏｓとを保障する形態で高速サービスを支援するようにする研究が盛んに進められている。その代表的な通信システムがＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６システムである。
【０００３】
ＩＥＥＥ８０２．１６システム規格は、ＭＡＣ（Ｍｅｄｉａ  Ａｃｃｅｓｓ  Ｃｏｎｔｒｏｌ）階層の多様な手順を定義している。例えば、初期レンジング（ｉｎｉｔｉａｌ  ｒａｎｇｉｎｇ）手順及び端末により始まるハンドオーバ（ｈａｎｄｏｖｅｒ）手順を説明すれば、以下のとおりである。
【０００４】
ＩＥＥＥ８０２．１６システム規格による初期レンジング手順は、以下のように行われる。まず、端末は、基地局に予め約束されたレンジングコードのうちのいずれか一つのレンジングコードを送信し、これにより、基地局は、端末にＲＮＧ−ＲＳＰ（ＲａＮＧｉｎｇ  ＲｅＳＰｏｎｓｅ）メッセージを送信する。このとき、ＲＮＧ＿ＲＳＰメッセージは、レンジング状態ＴＬＶ（ｒａｎｇｉｎｇ  ｓｔａｔｕｓ  ＴｙｐｅＬｅｎｇｔｈＶａｌｕｅ）を含む。万一、基地局が端末のレンジング、すなわち、端末のエントリー（ｅｎｔｒｙ）を許容することができない状態である場合、基地局は、レンジング状態ＴＬＶを「ａｂｏｒｔ」と設定することによって、端末にレンジング許容不可状態を知らせる。これによって、端末は、エントリーが許容されないことを認知した後、他の基地局をスキャニングする。
【０００５】
ＩＥＥＥ８０２．１６システム規格によるハンドオーバ手順は、以下のとおりに行われる。端末がハンドオーバを始める場合、端末は、周辺基地局をスキャニングし、スキャニングされた周辺基地局の情報、すなわち、ターゲット基地局候補情報を含むＭＯＢ＿ＭＳＨＯ−ＲＥＱ（ＭＯＢｉｌｅ＿Ｍｏｂｉｌｅ  Ｓｔａｔｉｏｎ  ＨａｎｄＯｖｅｒ−ＲＥＱｕｅｓｔ）メッセージをサービング基地局に送信する。これにより、サービング基地局は、端末から受信されたＭＯＢ＿ＭＳＨＯ−ＲＥＱメッセージに含まれたターゲット基地局候補が端末に対するサービスを支援できるか否かを確認した後、端末にＭＯＢ＿ＢＳＨＯ−ＲＳＰ（ＭＯＢｉｌｅ＿Ｂａｓｅ  Ｓｔａｔｉｏｎ  ＨａｎｄＯｖｅｒ−ＲｅＳＰｏｎｓｅ）メッセージを送信する。このとき、ＭＯＢ＿ＢＳＨＯ−ＲＳＰメッセージは、ハンドオーバ可能なターゲット基地局候補の情報を含む。ＭＯＢ＿ＢＳＨＯ−ＲＳＰメッセージを受信した端末は、ターゲット基地局を選択し、選択されたターゲット基地局を知らせるためのＭＯＢ＿ＨＯ−ＩＮＤ（ＭＯＢｉｌｅ＿ＨａｎｄＯｖｅｒ−ＩＮＤｉｃａｔｉｏｎ）メッセージをサービング基地局に送信する。端末により選択されたターゲット基地局を確認した基地局は、ターゲット基地局に端末に対する情報を提供し、端末は、ターゲット基地局へのエントリー手順を行う。
【０００６】
上述した通り、基地局は、初期レンジングを試みる端末のエントリーを制限できる。しかしながら、基地局は、端末が直ちに再接続を要請、すなわち、初期レンジングを再度試みることを防止できない。端末が直ちに再接続を要請する場合、基地局の状況は変化していないはずであることから、再度許容されない可能性が高い。したがって、端末が直ちに再接続を要請することは無線資源の浪費を招くようになる。また、ハンドオーバを行ってサービング基地局を変更した端末が、前のサービング基地局に再度ハンドオーバを試みることができる。２個の基地局を対象として繰り返し的にハンドオーバを行うことも、無線資源の浪費を招き、ハンドオーバを繰り返し的に試みることだけでも無線資源の浪費を招く。したがって、不必要なエントリーの試み及びエントリーの手順の遂行を防止するための対案が必要である。
【発明の概要】
【発明が解決しようとする課題】
【０００７】
そこで、本発明の目的は、広帯域無線通信システムにおける不必要なエントリー試み及び接続手順の遂行を防止するための装置及び方法を提供することにある。
【０００８】
本発明の他の目的は、広帯域無線通信システムにおける特定端末の特定基地局に対するエントリー試みを禁止させるための装置及び方法を提供することにある。
【０００９】
本発明のさらに他の目的は、広帯域無線通信システムにおける特定端末の特定基地局に対するエントリー禁止時間を知らせるための装置及び方法を提供することにある。
【課題を解決するための手段】
【００１０】
上記の目的を達成すべく、本発明の第１態様によれば、広帯域無線通信システムにおける基地局装置は、端末のエントリー（ｅｎｔｒｙ）試みを禁止することを判断する制御機と、エントリー試みの禁止を表すタイマー値を含むＭＡＣ（Ｍｅｄｉａ  Ａｃｃｅｓｓ  Ｃｏｎｔｒｏｌ）管理メッセージを生成する生成器と、前記端末に前記ＭＡＣ管理メッセージを送信する送信機とを備えることを特徴とする。
【００１１】
上記の目的を達成すべく、本発明の第２態様によれば、広帯域無線通信システムにおける端末装置は、基地局からＭＡＣ管理メッセージを受信する受信機と、前記ＭＡＣ管理メッセージに含まれたエントリー試みの禁止を表すタイマー値を確認する解析器と、前記タイマーの満了時点まで前記基地局に対してエントリー試みの禁止を設定する制御機とを備えることを特徴とする。
【００１２】
上記の目的を達成すべく、本発明の第３態様によれば、広帯域無線通信システムにおける基地局の動作方法は、端末のエントリー試みを禁止することを判断する過程と、エントリー試みの禁止を表すタイマー値を含むＭＡＣ管理メッセージを生成する過程と、前記端末に前記ＭＡＣ管理メッセージを送信する過程とを含むことを特徴とする。
【００１３】
上記の目的を達成すべく、本発明の第４態様によれば、広帯域無線通信システムにおける端末の動作方法は、基地局からＭＡＣ管理メッセージを受信する過程と、前記メッセージに含まれたエントリー試みの禁止を表すタイマー値を確認する過程と、前記タイマーの満了時点まで前記基地局に対してエントリー試みの禁止を設定する過程とを含むことを特徴とする。
【００１４】
上記の目的を達成すべく、本発明の第５態様によれば、回路（ｃｉｒｃｕｉｔ）は、端末の無線通信網の基地局へのエントリー（ｅｎｔｒｙ）試みを禁止することを判断する制御機を備え、前記制御機は、エントリー試みの禁止を表すタイマー値を含むＭＡＣ（Ｍｅｄｉａ  Ａｃｃｅｓｓ  Ｃｏｎｔｒｏｌ）管理メッセージを生成する手順を構成し、前記タイマー値は、前記エントリーが禁止される期間を指定することを特徴とする 。
【００１５】
上記の目的を達成すべく、本発明の第６態様によれば、 方法（ｍｅｔｈｏｄ）は、端末の無線通信網の基地局へのエントリー試みを禁止することを判断する過程と、エントリー試みの禁止を表すタイマー値を含むＭＡＣ（Ｍｅｄｉａ  Ａｃｃｅｓｓ  Ｃｏｎｔｒｏｌ）管理メッセージを処理する過程と、を含み、前記タイマー値は、前記エントリーが禁止される期間を指定することを特徴とする。
【図面の簡単な説明】
【００１６】
【図１】本発明による広帯域無線通信システムにおける初期レンジング（ｉｎｉｔｉａｌ  ｒａｎｇｉｎｇ）手順時の信号の交換例を示す図である。
【図２】本発明による広帯域無線通信システムにおけるハンドオーバ（ｈａｎｄｏｖｅｒ）手順時の信号の交換例を示す図である。
【図３】本発明の実施の形態による広帯域無線通信システムにおける基地局のブロック構成を示す図である。
【図４】本発明の実施の形態による広帯域無線通信システムにおける端末のブロック構成を示す図である。
【図５】本発明の実施の形態による広帯域無線通信システムにおける基地局の動作手順を示す図である。
【図６】本発明の実施の形態による広帯域無線通信システムにおける端末の動作手順を示す図である。
【発明を実施するための形態】
【００１７】
以下、本発明は、広帯域無線通信システムにおける端末の不必要なエントリー試み及び接続手順の遂行を防止するための技術について説明する。以下、本発明は、直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、以下、「ＯＦＤＭＡ」とする）方式の無線通信システムを例に挙げて説明し、他の方式の無線通信システムにも同様に適用されることができる。
【００１８】
端末のエントリー試みを制限するために、本発明は、エントリー制限タイマー情報を交換するためのＴＬＶ（Ｔｙｐｅ  Ｌｅｎｇｔｈ  Ｖａｌｕｅ）を下の＜表１＞のように定義する。本発明で定義されるＴＬＶは、多様なＭＡＣ（Ｍｅｄｉａ  Ａｃｃｅｓｓ  Ｃｏｎｔｒｏｌ）管理メッセージ、例えば、ＲＮＧ−ＲＳＰ（ＲａＮＧｉｎｇ−ＲｅＳＰｏｎｓｅ）メッセージ、ＢＳＨＯ−ＲＥＱ（Ｂａｓｅ  Ｓｔａｔｉｏｎ  ＨａｎｄＯｖｅｒ−ＲＥＱｕｅｓｔ）メッセージ、ＢＳＨＯ−ＲＳＰ（Ｂａｓｅ  Ｓｔａｔｉｏｎ  ＨａｎｄＯｖｅｒ−ＲｅＳＰｏｎｓｅ）メッセージなどに含まれることができる。
【００１９】
【表１】
2011507384.tif 000003
＜表１＞に示したように、本発明によって端末のエントリーを制限するためのＴＬＶは、タイマー値を表す。ＴＬＶの長さは１バイトであり、値は１００ミリセカンド単位の時間を表現し、値が０の場合、エントリー制限時間が無限であるのを意味する。以下、説明の便宜上、本発明は、＜表１＞のようなＴＬＶを「エントリー制限タイマーＴＬＶ」と称する。
【００２０】
本発明によるエントリー制限タイマーＴＬＶを使用する場合、初期レンジング（ｉｎｉｔｉａｌ  ｒａｎｇｉｎｇ）手順による基地局と端末との間の信号交換を説明すれば、以下のとおりである。図１は、本発明による広帯域無線通信システムにおける初期レンジング手順時の信号の交換例を示している。
【００２１】
図１に示すように、端末１１０は、ネットワークエントリーのために基地局１２０にＲＮＧ−ＲＥＱ（ＲａＮＧｉｎｇ−ＲＥＱｕｅｓｔ）メッセージを送信する（ステップ１０１）。
【００２２】
ＲＮＧ−ＲＥＱメッセージを受信した基地局１２０は、端末１１０が自身に接続したいことを認知し、エントリーを許容するか否かを決定する。エントリーの許容に対する判断の結果、基地局１２０は、自身へのエントリーを許容できないと判断する（ステップ１０３）。例えば、基地局１２０は、資源不足、サービス不可などの理由によって端末１１０のエントリーを許容できないと判断する。
【００２３】
これにより、基地局１２０は、端末１１０へエントリー制限タイマーＴＬＶを含むＲＮＧ−ＲＳＰメッセージを送信する（ステップ１０５）。すなわち、基地局１２０は、自身へのエントリーを拒否することを知らせるための「ａｂｏｒｔ」と設定されたレンジング状態ＴＬＶ（ｒａｎｇｉｎｇ  ｓｔａｔｕｓ  ＴＬＶ）及び自身へのエントリーを所定時間の間に禁止することを知らせるためのエントリー制限タイマーＴＬＶを含むＲＮＳ−ＲＳＰメッセージを送信する。ここで、エントリー制限タイマーＴＬＶは、エントリーを禁止する時間情報を含む。このとき、基地局は、ＲＮＧ−ＲＳＰメッセージにダウンリンク周波数オーバーライドＴＬＶ（ｄｏｗｎｌｉｎｋ  ｆｒｅｑｕｅｎｃｙ  ｏｖｅｒｒｉｄｅ  ＴＬＶ）を含めることができる。ダウンリンク周波数オーバーライドＴＬＶは、端末に他のＦＡ（ｆｒｅｑｕｅｎｃｙ  Ａｌｌｏｃａｔｉｏｎ）を介したエントリー要請を導くためのものであって、端末に勧める他のＦＡの情報を含む。
【００２４】
エントリー制限タイマーＴＬＶを含むＲＮＧ−ＲＳＰメッセージを受信した端末１１０は、自身のエントリー要請が拒否されたことを認知し、同時に、エントリー制限タイマーＴＬＶを確認することによって、所定時間の間に基地局１２０へのエントリー試みが禁止されることを認知する（ステップ１０７）。
【００２５】
次に、端末１１０は、所定時間の間に基地局１２０へのエントリーを試みずに、接続可能な他の基地局をスキャニングする（ステップ１０９）。万一、ＲＮＧ−ＲＳＰメッセージにダウンリンク周波数オーバーライドＴＬＶが含まれている場合、端末１１０は、他のＦＡ、すなわち、ダウンリンク周波数オーバーライドＴＬＶにより指示されるＦＡで接続可能な基地局をスキャニングする。一方、ＲＮＧ−ＲＳＰメッセージにダウンリンク周波数オーバーライドＴＬＶが含まれていない場合、端末１１０は、同じＦＡで接続可能な基地局をスキャニングする。
【００２６】
図１に示した過程の後、端末１１０は、ステップ１０９でのスキャニングの後に再度ネットワークエントリー手順を行う。このとき、基地局１２０が最も適切な、すなわち、最も良好なチャネル状態を有する基地局と判断されても、端末１１０は、ステップ１０７にて確認された所定時間が経過していないと、基地局１２０へのエントリーを試みない。
【００２７】
本発明によるエントリー制限タイマーＴＬＶを使用する場合、ハンドオーバ（ｈａｎｄｏｖｅｒ）手順による基地局と端末との間の信号交換を説明すると、以下のとおりである。図２は、本発明による広帯域無線通信システムにおけるハンドオーバ手順時の信号の交換例を示している。
【００２８】
図２に示すように、端末２１０は、隣接基地局へのハンドオーバを行うために、サービング基地局２２０にＭＯＢ＿ＭＳＨＯ−ＲＥＱメッセージを送信する（ステップ２０１）。ここで、ＭＯＢ＿ＭＳＨＯ−ＲＥＱメッセージは、ターゲット基地局２３０の情報を含む。
【００２９】
ＭＯＢ＿ＭＳＨＯ−ＲＥＱメッセージを受信したサービング基地局２２０は、ターゲット基地局２３０にＨＯ＿ｐｒｅ＿ｎｏｔｉｆｉｃａｔｉｏｎ（ＨａｎｄＯｖｅｒ＿ｐｒｅ＿ｎｏｔｉｆｉｃａｔｉｏｎ）メッセージを送信する（ステップ２０３）。ＨＯ＿ｐｒｅ＿ｎｏｔｉｆｉｃｉａｔｏｎメッセージは、端末２１０のエントリーに対して受け入れるか否かを確認するためのメッセージである。
【００３０】
ＨＯ＿ｐｒｅ＿ｎｏｔｉｆｉｃａｔｉｏｎメッセージを受信したターゲット基地局２３０は、端末２１０のエントリーを受け入れることができると判断し、これを知らせるＨＯ＿ｐｒｅ＿ｎｏｔｉｆｉｃａｔｉｏｎ−ＲＳＰ（ＨａｎｄＯｖｅｒ＿ｐｒｅ＿ｎｏｔｉｆｉｃａｔｉｏｎ−ＲｅＳＰｏｎｓｅ）メッセージを送信する（ステップ２０５）。
【００３１】
ＨＯ＿ｐｒｅ＿ｎｏｔｉｆｉｃａｔｉｏｎ−ＲＳＰメッセージを受信したサービング基地局２２０は、エントリー制限タイマーＴＬＶを含むＭＯＢ＿ＢＳＨＯ−ＲＳＰメッセージを送信する（ステップ２０７）。すなわち、サービング基地局２２０は、端末２１０のエントリーを受け入れることができると応答したターゲット基地局２３０の情報及び自身へのエントリーを所定時間の間に禁止することを知らせるためのエントリー制限タイマーＴＬＶを含むＭＯＢ＿ＢＳＨＯ−ＲＳＰメッセージを送信する。
【００３２】
ＭＯＢ＿ＢＳＨＯ−ＲＳＰメッセージを受信した端末２１０は、ターゲット基地局２３０が自身のエントリーを受け入れることができることを認知し、同時に、エントリー制限タイマーＴＬＶを確認することによって、所定時間の間はサービング基地局２２０へのエントリー試みが禁止されることを認知する（ステップ２０９）。
【００３３】
その後、ターゲット基地局２３０へのハンドオーバを決定した端末２１０は、ターゲット基地局２３０に対してハンドオーバを行うことをサービング基地局２２０に知らせるためのＭＯＢ＿ＨＯ−ＩＮＤメッセージを送信する（ステップ２１１）。
【００３４】
ＭＯＢ＿ＨＯ−ＩＮＤメッセージを受信したサービング基地局２２０は、ターゲット基地局２３０に端末２１０の情報を提供する（ステップ２１３）。例えば、端末２１０の情報は、使用中のサービス情報、端末２１０の能力情報などを含む。
【００３５】
その後、端末２１０とターゲット基地局２３０とは、接続手順のためのメッセージを交換し初期接続を行う（ステップ２１５）。
【００３６】
図２に示す過程の後、端末２１０は、サービング基地局２２０へのハンドオーバを判断しても、ステップ２０９にて確認された所定時間が経過していないと、サービング基地局２２０へのハンドオーバ、すなわち、エントリーを試みない。換言すれば、所定時間が経過していないと、端末２１０は、サービング基地局２２０へのハンドオーバを中断する。
【００３７】
図２において、ターゲット基地局候補として一つのターゲット基地局のみが示されているが、これは説明の便宜のためであり、多数のターゲット基地局候補が存在できる。
【００３８】
以下、本発明は、上述したようにエントリーを制限するための基地局及び端末の構成及び動作手順を、図面を参照して詳細に説明する。
【００３９】
図３は、本発明の実施の形態による広帯域無線通信システムにおける基地局のブロック構成を示している。
【００４０】
図３に示すように、基地局は、ＲＦ（Ｒａｄｉｏ  Ｆｒｅｕｑｅｎｃｙ）受信機３０２、ＯＦＤＭ復調器３０４、副搬送波デマッパー３０６、シンボル復調器３０８、復号化器３１０、レンジングコード検出器３１２、メッセージ解析器３１４、ＭＡＣ制御機３１６、メッセージ生成器３１８、符号化器３２０、シンボル変調器３２２、副搬送波マッパー３２４、ＯＦＤＭ変調器３２６、ＲＦ送信機３２８を備える。
【００４１】
ＲＦ受信機３０２は、アンテナを介して受信されるＲＦ帯域信号をベースバンド信号にダウン変換する。ＯＦＤＭ復調器３０４は、ＲＦ受信機３０２から提供される信号をＯＦＤＭシンボル単位に区分した後、サイクリックプレフィックス（ＣＰ）を除去し、ＦＦＴ（Ｆａｓｔ  Ｆｏｕｒｉｅｒ  Ｔｒａｎｓｆｏｒｍ）演算を介して周波数領域にマッピングされた複素シンボルを復元する。副搬送波デマッパー３０６は、周波数領域にマッピングされた複素シンボルを処理単位に取り出す。例えば、副搬送波デマッパー３０６は、レンジング副搬送波にマッピングされた信号を取り出して、レンジングコード検出器３１２に提供する。シンボル復調器３０８は、複素シンボルを復調してビット列に変換する。復号化器３１０は、ビット列をチャネル復号化（ｃｈａｎｎｅｌ  ｄｅｃｏｄｉｎｇ）して情報ビット列を復元する。
【００４２】
レンジングコード検出器３１２は、端末により送信されたレンジングコードを検出する。すなわち、レンジングコード検出器３１２は、レンジング副搬送波にマッピングされた信号を予め約束されたレンジングコードと相関演算することで、どのレンジングコードが送信されたかを検出する。
【００４３】
メッセージ解析器３１４は、端末から受信されるＭＡＣ管理メッセージを解析する。例えば、メッセージ解析器３１４は、端末のネットワークエントリーのためのＲＮＧ−ＲＥＱメッセージを解析することによって、ネットワークエントリーを行おうとする端末を確認する。また、メッセージ解析器３１４は、端末のハンドオーバ要請のためのＭＯＢ＿ＭＳＨＯ−ＲＥＱメッセージを解析することによって、候補ターゲット基地局を確認し、端末により決定されたターゲット基地局情報を含むＭＯＢ＿ＨＯ−ＩＮＤメッセージを解析することによって、端末の情報を提供しなければならないターゲット基地局を確認する。
【００４４】
ＭＡＣ制御機３１６は、基地局のＭＡＣ階層に対する全般的な機能を制御する。例えば、端末の初期レンジング試みの際、ＭＡＣ制御機３１６は、無線資源余裕及びサービスが可能か否かなどに基づいて端末のエントリーを許容するか否かを判断する。また、端末のハンドオーバ要請の際、ＭＡＣ制御機３１６は、ターゲット基地局に端末のハンドオーバに対して受け入れ可能か否かを確認するように制御する。
【００４５】
特に、本発明によって、ＭＡＣ制御機３１６は、端末のエントリー試みの禁止を判断する。ここで、エントリーは、初期レンジング又はハンドオーバによる基地局接続を意味する。すなわち、端末の初期レンジングを介した自身へのエントリーを拒否する場合、ＭＡＣ制御機３１６は、エントリー拒否された端末に所定時間の間に自身へのエントリー試みを禁止する。また、端末が隣接基地局にハンドオーバを行う場合、ＭＡＣ制御機３１６は、ハンドオーバを行う端末に所定時間の間に自身へのエントリー試み、すなわち、自身へのハンドオーバ試みを禁止する。
【００４６】
メッセージ生成器３１８は、端末に送信されるＭＡＣ管理メッセージを生成する。例えば、メッセージ生成器３１８は、端末のレンジング試みに対する応答であるＲＮＧ−ＲＳＰメッセージ、端末のハンドオーバ要請に対する応答であるＭＯＢ＿ＢＳＨＯ−ＲＳＰメッセージ、端末にハンドオーバを要請するためのＭＯＢ−ＢＳＨＯ−ＲＥＱメッセージを生成する。特に、本発明によって、メッセージ生成器３１８は、所定時間自身へのエントリー試みを禁止することを表すパラメータ、すなわち、エントリー制限タイマーＴＬＶを含むＭＡＣ管理メッセージを生成する。ここで、エントリーは、初期レンジング又はハンドオーバを介したエントリーを意味する。例えば、エントリー制限タイマーＴＬＶは、ＲＮＧ−ＲＳＰメッセージ、ＭＯＢ＿ＢＳＨＯ−ＲＳＰメッセージ、ＭＯＢ＿ＢＳＨＯ−ＲＥＱメッセージなどに含まれることができ、＜表１＞のように構成される。ＭＡＣ管理メッセージがＲＮＧ−ＲＳＰメッセージである場合、ＲＮＧ−ＲＳＰメッセージは、エントリー制限タイマーＴＬＶ、エントリー拒否を表すパラメータ、エントリーを勧める他のＦＡを知らせるパラメータのうち、少なくとも一つを含む。また、ＭＡＣ管理メッセージがＭＯＢ＿ＢＳＨＯ−ＲＳＰメッセージ又はＭＯＢ＿ＢＳＨＯ−ＲＥＱメッセージである場合、ＭＯＢ＿ＢＳＨＯ−ＲＳＰメッセージ又はＭＯＢ＿ＢＳＨＯ−ＲＥＱメッセージは、エントリー制限タイマーＴＬＶ、ハンドオーバを受け入れることのできるターゲット基地局候補の情報のうち、少なくとも一つを含む。
【００４７】
符号化器３２０は、情報ビット列をチャネル符号化（ｃｈａｎｎｅｌ  ｃｏｄｉｎｇ）する。シンボル変調器３２２は、チャネル符号化されたビット列を復調して複素シンボルに変換する。副搬送波マッパー３２４は、複素シンボルを周波数領域にマッピングする。ＯＦＤＭ変調器３２６は、ＩＦＦＴ（Ｉｎｖｅｒｓｅ  Ｆａｓｔ  Ｆｏｕｒｉｅｒ  Ｔｒａｎｓｆｏｒｍ）演算を介して周波数領域にマッピングされた複素シンボルを時間領域信号に変換し、ＣＰを挿入してＯＦＤＭシンボルを構成する。ＲＦ送信機３２８は、ベースバンド信号をＲＦ帯域信号にアップ変換し、アンテナを介して送信する。
【００４８】
図４は、本発明の実施の形態による広帯域無線通信システムにおける端末のブロック構成を示している。
【００４９】
図４に示すように、端末は、ＲＦ受信機４０２、ＯＦＤＭ復調器４０４、副搬送波デマッパー４０６、シンボル復調器４０８、復号化器４１０、信号強度測定器４１２、メッセージ解析器４１４、ＭＡＣ制御機４１６、メッセージ生成器４１８、符号化器４２０、シンボル変調器４２２、副搬送波マッパー４２４、ＯＦＤＭ変調器４２６、ＲＦ送信機４２８を備える。
【００５０】
ＲＦ受信機４０２は、アンテナを介して受信されるＲＦ帯域信号をベースバンド信号にダウン変換する。ＯＦＤＭ復調器４０４は、ＲＦ受信機４０２から提供される信号をＯＦＤＭシンボル単位に区分した後、ＣＰを除去し、ＦＦＴ演算を介して周波数領域にマッピングされた複素シンボルを復元する。副搬送波デマッパー４０６は、周波数領域にマッピングされた複素シンボルを処理単位に取り出す。例えば、ネットワークエントリー又はハンドオーバのための基地局スキャニングの際、副搬送波デマッパー４０６は、スキャニングのための信号、例えば、プリアンブル信号を取り出して信号強度測定器４１２に提供する。シンボル復調器４０８は、複素シンボルを復調してビット列に変換する。復号化器４１０は、ビット列をチャネル復号化して情報ビット列を復元する。
【００５１】
信号強度測定器４１２は、基地局からの受信信号強度を測定する。例えば、受信信号強度は、ＲＳＳＩ（Ｒｅｃｅｉｖｅｄ  Ｓｉｇｎａｌ  Ｓｔｒｅｎｇｔｈ  Ｉｎｄｉｃａｔｉｏｎ）、ＳＮＲ（Ｓｉｇｎａｌ  ｔｏ  Ｎｏｉｓｅ  Ｒａｔｉｏ）、ＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）、ＣＩＮＲ（Ｃａｒｒｉｅｒ  ｔｏ  Ｉｎｔｅｒｆｅｒｅｎｃｅ  ａｎｄ  Ｎｏｉｓｅ  Ｒａｔｉｏ）などで表現されることができる。
【００５２】
メッセージ解析器４１４は、基地局から受信されるＭＡＣ管理メッセージを解析する。例えば、メッセージ解析器４１４は、初期レンジング試みに対する応答であるＲＮＧ−ＲＳＰメッセージを解析することによって、初期レンジングを許容するか否かを確認し、ハンドオーバ要請に対する応答であるＭＯＢ＿ＢＳＨＯ−ＲＳＰメッセージを解析することによって、ハンドオーバを受け入れることのできるターゲット基地局を確認し、端末にハンドオーバを要請するためのＭＯＢ−ＢＳＨＯ−ＲＥＱメッセージを解析することによって、ハンドオーバに対して受け入れ可能なターゲット基地局を確認する。特に、本発明によるメッセージ解析器４１４は、所定時間の間に基地局へのエントリー試みを禁止することを表すパラメータ、すなわち、エントリー制限タイマーＴＬＶを確認する。ここで、エントリーは、初期レンジング又はハンドオーバによる基地局接続を意味する。例えば、エントリー制限タイマーＴＬＶは、ＲＮＧ−ＲＳＰメッセージ、ＭＯＢ＿ＢＳＨＯ−ＲＳＰメッセージ、ＭＯＢ＿ＢＳＨＯ−ＲＥＱメッセージなどに含まれることができ、＜表１＞のように構成される。
【００５３】
ＭＡＣ制御機４１６は、端末のＭＡＣ階層に対する全般的な機能を制御する。例えば、端末の初期レンジング試みの際、ＭＡＣ制御機４１６は、ＲＮＧ−ＲＥＱメッセージを生成及び送信するように制御する。また、ハンドオーバ要請の際、ＭＡＣ制御機４１６は、収集されたターゲット基地局候補の情報を含むＭＯＢ＿ＭＳＨＯ−ＲＥＱメッセージを生成及び送信するように制御する。そして、ＭＡＣ制御機４１６は、初期レンジング試みに対する応答であるＲＮＧ−ＲＳＰメッセージに含まれたレンジングを許容するか否かに対する情報に応じて、端末の動作を制御する。例えば、初期レンジングを介した基地局へのエントリーが拒否される場合、ＭＡＣ制御機４１６は、ネットワークエントリーのための他の基地局をスキャニングするように制御する。また、ＭＡＣ制御機４１６は、ハンドオーバ要請に対する応答であるＭＯＢ＿ＢＳＨＯ−ＲＳＰメッセージに含まれたハンドオーバを受け入れ可能なターゲット基地局候補情報に応じて、端末の動作を制御する。すなわち、ＭＡＣ制御機４１６は、ハンドオーバを受け入れ可能なターゲット基地局候補のうちの何れか一つのターゲット基地局を選択し、これを知らせるためのＭＯＢ＿ＨＯ−ＩＮＤメッセージを送信するように制御する。
【００５４】
特に、本発明によるＭＡＣ制御機４１６は、受信されたＭＡＣ管理メッセージに含まれたエントリー制限タイマーＴＬＶが確認されると、エントリー禁止タイマーＴＬＶにより指示される所定時間の間に、すなわち、タイマーの満了時点まで、ＭＡＣ管理メッセージを送信した基地局へのエントリーを禁止する。例えば、ＲＮＧ−ＲＳＰメッセージにエントリー制限タイマーＴＬＶが含まれた場合、ＭＡＣ制御機４１６は、所定時間の間、ＲＮＧ−ＲＳＰを送信した基地局へのエントリー試み、すなわち、初期レンジング試みを禁止する。すなわち、ネットワークエントリーのために基地局をスキャニングした結果、レンジング応答メッセージを送信した基地局が再度選択された場合、ＭＡＣ制御機４１６は、所定時間が経過していない場合、レンジング応答メッセージを送信した基地局を除いた残りの基地局のうち、何れか一つの基地局に初期レンジングを試みるように制御する。また、ＭＯＢ＿ＢＳＨＯ−ＲＳＰメッセージ又はＭＯＢ＿ＢＳＨＯ−ＲＥＱメッセージにエントリー制限タイマーＴＬＶが含まれた場合、ＭＡＣ制御機４１６は、所定時間の間にＭＯＢ＿ＢＳＨＯ−ＲＳＰを送信した基地局へのエントリー試み、すなわち、ハンドオーバ試みを禁止する。
【００５５】
メッセージ生成器４１８は、基地局に送信されるＭＡＣ管理メッセージを生成する。例えば、メッセージ生成器４１８は、ハンドオーバ要請のためのＭＯＢ＿ＭＳＨＯ−ＲＥＱメッセージ、決定されたターゲット基地局情報を含むＭＯＢ＿ＨＯ−ＩＮＤメッセージ、初期レンジングのためのＲＮＧ−ＲＥＱメッセージを生成する。
【００５６】
符号化器４２０は、情報ビット列をチャネル符号化する。シンボル変調器４２２は、チャネル符号化されたビット列を復調して複素シンボルに変換する。副搬送波マッパー４２４は、複素シンボルを周波数領域にマッピングする。ＯＦＤＭ変調器４２６は、ＩＦＦＴ演算を介して周波数領域にマッピングされた複素シンボルを時間領域信号に変換し、ＣＰを挿入してＯＦＤＭシンボルを構成する。ＲＦ送信機４２８は、ベースバンド信号をＲＦ帯域信号にアップ変換し、アンテナを介して送信する。
【００５７】
図５は、本発明の実施の形態による広帯域無線通信システムにおける基地局の動作手順を示している。
【００５８】
図５に示すように、基地局は、ステップ５０１にて端末が隣接基地局にハンドオーバを行うか、又は端末の初期ネットワークエントリーが拒否されるか否かを確認する。具体的に説明すると、端末のハンドオーバの際、基地局は、ターゲット基地局候補のうち、少なくとも一つのターゲット基地局候補が端末のハンドオーバを受け入れることができるか否かを確認する。又は、初期レンジングを介した端末のエントリー要請が発生した場合、基地局は、資源不足又はサービス不可の理由でエントリーが拒否されているか否かを確認する。
【００５９】
端末が隣接基地局にハンドオーバを行うか、又は端末の初期ネットワークエントリーが拒否されると、基地局は、ステップ５０３に進んで端末に対して所定時間の間に自身へのエントリー試みを禁止することを判断する。ここで、エントリーは、初期レンジング又はハンドオーバによる基地局接続を意味する。このとき、所定時間の長さは、具体的な実施の形態によって変わる。
【００６０】
端末のエントリー試みを禁止することを判断した後、基地局は、ステップ５０５に進んで、エントリー試みを禁止することを表すパラメータ、すなわち、エントリー制限タイマーＴＬＶを含むＭＡＣ管理メッセージを生成する。例えば、エントリー制限タイマーＴＬＶは、ＲＮＧ−ＲＳＰメッセージ、ＭＯＢ＿ＢＳＨＯ−ＲＳＰメッセージ、ＭＯＢ＿ＢＳＨＯ−ＲＥＱメッセージなどに含まれることができ、前述の＜表１＞のように構成される。ＭＡＣ管理メッセージがＲＮＧ−ＲＳＰメッセージである場合、ＲＮＧ−ＲＳＰメッセージは、エントリー制限タイマーＴＬＶ、エントリー拒否を表すパラメータ、エントリーを勧める他のＦＡを知らせるパラメータのうち、少なくとも一つを含む。また、ＭＡＣ管理メッセージがＭＯＢ＿ＢＳＨＯ−ＲＳＰメッセージ又はＭＯＢ＿ＢＳＨＯ−ＲＥＱメッセージである場合、ＭＯＢ＿ＢＳＨＯ−ＲＳＰメッセージ又はＭＯＢ＿ＢＳＨＯ−ＲＥＱメッセージは、エントリー制限タイマーＴＬＶ、ハンドオーバを受け入れることのできるターゲット基地局候補の情報のうち、少なくとも一つを含む。
【００６１】
以後、基地局は、ステップ５０７に進んで、ステップ５０５にて生成されたＭＡＣ管理メッセージを該当端末に送信する。
【００６２】
図６は、本発明の実施の形態による広帯域無線通信システムにおける端末の動作手順を示している。
【００６３】
図６に示すように、端末は、ステップ６０１にて基地局からＭＡＣ管理メッセージが受信されているかを確認する。
【００６４】
ＭＡＣ管理メッセージが受信されると、端末は、ステップ６０３に進んで、ＭＡＣ管理メッセージを解析することによって、エントリー試みを禁止することを表すパラメータ、すなわち、エントリー制限タイマーＴＬＶが含まれているか否かを確認する。ここで、エントリーは、初期レンジング又はハンドオーバによる基地局接続を意味する。例えば、エントリー制限タイマーＴＬＶは、ＲＮＧ−ＲＳＰメッセージ、ＭＯＢ＿ＢＳＨＯ−ＲＳＰメッセージ、ＭＯＢ＿ＢＳＨＯ−ＲＥＱメッセージなどに含まれることができ、前述の＜表１＞のように構成される。すなわち、端末は、ＲＮＧ−ＲＳＰメッセージ、ＭＯＢ＿ＢＳＨＯ−ＲＳＰメッセージ又はＭＯＢ＿ＢＳＨＯ−ＲＥＱメッセージを解析することによって、エントリー制限タイマーＴＬＶを確認する。万一、エントリー制限タイマーＴＬＶが含まれていないと、端末は、ステップ６０７に進む。
【００６５】
これに対し、エントリー制限タイマーＴＬＶが含まれていると、端末は、ステップ６０５に進んで、エントリー制限タイマーＴＬＶにより指示された所定時間の間に、すなわち、タイマーの満了時点までＭＡＣ管理メッセージを送信した基地局へのエントリー試みを禁止するように設定する。これによって、端末は、ネットワークエントリーのためのスキャニングの結果、基地局が最適の基地局として選択されるか、又は、ハンドオーバのためのスキャニングの結果、基地局が最適の基地局として選択されても、所定時間が経過していないと、基地局へのエントリーを試みない。
【００６６】
次に、端末は、ステップ６０７に進んで、受信されたＭＡＣ管理メッセージに応じてＭＡＣ階層の動作を行う。例えば、ＭＡＣ管理メッセージがＲＮＧ−ＲＳＰメッセージで、レンジング状態ＴＬＶが「ａｂｏｒｔ」と設定されている場合、端末は、ネットワークエントリーのための基地局をスキャニングする。又は、ＭＡＣ管理メッセージがＭＯＢ＿ＢＳＨＯ−ＲＳＰメッセージ又はＭＯＢ＿ＢＳＨＯ−ＲＥＱメッセージである場合、端末は、ハンドオーバするターゲット基地局を選択し、サービング基地局として選択されたターゲット基地局の情報を送信する。
【００６７】
広帯域無線通信システムにおける端末の初期レンジング拒否及びハンドオーバの際、エントリー試みを禁止することを表すパラメータを利用して再エントリー試みを制限することによって、端末の不必要なエントリー試み及びエントリー手順の遂行が防止される。
【図１】
2011507384.tif 000004
【図２】
2011507384.tif 000005
【図３】
2011507384.tif 000006
【図４】
2011507384.tif 000007
【図５】
2011507384.tif 000008
【図６】
2011507384.tif 000009
【手続補正書】
【提出日】平成22年2月10日(2010.2.10)
【手続補正１】
【補正対象書類名】明細書
【補正対象項目名】全文
【補正方法】変更
【補正の内容】
【発明の詳細な説明】
【技術分野】
【０００１】
本発明は、広帯域無線通信システムに関し、特に、広帯域無線通信システムにおける端末の基地局接続を制御するための装置及び方法に関する。
【背景技術】
【０００２】
次世代通信システムである４世代（４ｔｈ  Ｇｅｎｅｒａｔｉｏｎ：以下、４Ｇとする）通信システムでは、約１００Ｍｂｐｓの送信速度を利用して多様なサービス品質（Ｑｕａｌｉｔｙ  ｏｆ  Ｓｅｒｖｉｃｅ；以下、Ｑｏｓとする）を有するサービスをユーザに提供するための研究が盛んに進められている。特に、現在４Ｇ通信システムでは、無線近距離通信ネットワークシステム及び無線メトロポリタンエリアネットワークシステムのような広帯域無線アクセス（Ｂｒｏａｄｂａｎｄ  Ｗｉｒｅｌｅｓｓ  Ａｃｃｅｓｓ：ＢＷＡ）通信システムに、移動性とＱｏｓとを保障する形態で高速サービスを支援するようにする研究が盛んに進められている。その代表的な通信システムがＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６システムである。
【０００３】
ＩＥＥＥ８０２．１６システム規格は、ＭＡＣ（Ｍｅｄｉａ  Ａｃｃｅｓｓ  Ｃｏｎｔｒｏｌ）階層の多様な手順を定義している。例えば、初期レンジング（ｉｎｉｔｉａｌ  ｒａｎｇｉｎｇ）手順及び端末により始まるハンドオーバ（ｈａｎｄｏｖｅｒ）手順を説明すれば、以下のとおりである。
【０００４】
ＩＥＥＥ８０２．１６システム規格による初期レンジング手順は、以下のように行われる。まず、端末は、基地局に予め約束されたレンジングコードのうちのいずれか一つのレンジングコードを送信し、これにより、基地局は、端末にＲＮＧ−ＲＳＰ（ＲａＮＧｉｎｇ  ＲｅＳＰｏｎｓｅ）メッセージを送信する。このとき、ＲＮＧ＿ＲＳＰメッセージは、レンジング状態ＴＬＶ（ｒａｎｇｉｎｇ  ｓｔａｔｕｓ  ＴｙｐｅＬｅｎｇｔｈＶａｌｕｅ）を含む。万一、基地局が端末のレンジング、すなわち、端末のエントリー（ｅｎｔｒｙ）を許容することができない状態である場合、基地局は、レンジング状態ＴＬＶを「ａｂｏｒｔ」と設定することによって、端末にレンジング許容不可状態を知らせる。これによって、端末は、エントリーが許容されないことを認知した後、他の基地局をスキャニングする。
【０００５】
ＩＥＥＥ８０２．１６システム規格によるハンドオーバ手順は、以下のとおりに行われる。端末がハンドオーバを始める場合、端末は、周辺基地局をスキャニングし、スキャニングされた周辺基地局の情報、すなわち、ターゲット基地局候補情報を含むＭＯＢ＿ＭＳＨＯ−ＲＥＱ（ＭＯＢｉｌｅ＿Ｍｏｂｉｌｅ  Ｓｔａｔｉｏｎ  ＨａｎｄＯｖｅｒ−ＲＥＱｕｅｓｔ）メッセージをサービング基地局に送信する。これにより、サービング基地局は、端末から受信されたＭＯＢ＿ＭＳＨＯ−ＲＥＱメッセージに含まれたターゲット基地局候補が端末に対するサービスを支援できるか否かを確認した後、端末にＭＯＢ＿ＢＳＨＯ−ＲＳＰ（ＭＯＢｉｌｅ＿Ｂａｓｅ  Ｓｔａｔｉｏｎ  ＨａｎｄＯｖｅｒ−ＲｅＳＰｏｎｓｅ）メッセージを送信する。このとき、ＭＯＢ＿ＢＳＨＯ−ＲＳＰメッセージは、ハンドオーバ可能なターゲット基地局候補の情報を含む。ＭＯＢ＿ＢＳＨＯ−ＲＳＰメッセージを受信した端末は、ターゲット基地局を選択し、選択されたターゲット基地局を知らせるためのＭＯＢ＿ＨＯ−ＩＮＤ（ＭＯＢｉｌｅ＿ＨａｎｄＯｖｅｒ−ＩＮＤｉｃａｔｉｏｎ）メッセージをサービング基地局に送信する。端末により選択されたターゲット基地局を確認した基地局は、ターゲット基地局に端末に対する情報を提供し、端末は、ターゲット基地局へのエントリー手順を行う。
【０００６】
上述した通り、基地局は、初期レンジングを試みる端末のエントリーを制限できる。しかしながら、基地局は、端末が直ちに再接続を要請、すなわち、初期レンジングを再度試みることを防止できない。端末が直ちに再接続を要請する場合、基地局の状況は変化していないはずであることから、再度許容されない可能性が高い。したがって、端末が直ちに再接続を要請することは無線資源の浪費を招くようになる。また、ハンドオーバを行ってサービング基地局を変更した端末が、前のサービング基地局に再度ハンドオーバを試みることができる。２個の基地局を対象として繰り返し的にハンドオーバを行うことも、無線資源の浪費を招き、ハンドオーバを繰り返し的に試みることだけでも無線資源の浪費を招く。したがって、不必要なエントリーの試み及びエントリーの手順の遂行を防止するための対案が必要である。
【発明の概要】
【発明が解決しようとする課題】
【０００７】
そこで、本発明の目的は、広帯域無線通信システムにおける不必要なエントリー試み及び接続手順の遂行を防止するための装置及び方法を提供することにある。
【０００８】
本発明の他の目的は、広帯域無線通信システムにおける特定端末の特定基地局に対するエントリー試みを禁止させるための装置及び方法を提供することにある。
【０００９】
本発明のさらに他の目的は、広帯域無線通信システムにおける特定端末の特定基地局に対するエントリー禁止時間を知らせるための装置及び方法を提供することにある。
【課題を解決するための手段】
【００１０】
上記の目的を達成すべく、本発明の第１態様によれば、広帯域無線通信システムにおける基地局装置は、端末のエントリー（ｅｎｔｒｙ）試みを禁止することを判断する制御機と、エントリー試みの禁止を表すタイマー値を含むＭＡＣ（Ｍｅｄｉａ  Ａｃｃｅｓｓ  Ｃｏｎｔｒｏｌ）管理メッセージを生成する生成器と、前記端末に前記ＭＡＣ管理メッセージを送信する送信機とを備えることを特徴とする。
【００１１】
上記の目的を達成すべく、本発明の第２態様によれば、広帯域無線通信システムにおける端末装置は、基地局からＭＡＣ管理メッセージを受信する受信機と、前記ＭＡＣ管理メッセージに含まれたエントリー試みの禁止を表すタイマー値を確認する解析器と、前記タイマーの満了時点まで前記基地局に対してエントリー試みの禁止を設定する制御機とを備えることを特徴とする。
【００１２】
上記の目的を達成すべく、本発明の第３態様によれば、広帯域無線通信システムにおける基地局の動作方法は、端末のエントリー試みを禁止することを判断する過程と、エントリー試みの禁止を表すタイマー値を含むＭＡＣ管理メッセージを生成する過程と、前記端末に前記ＭＡＣ管理メッセージを送信する過程とを含むことを特徴とする。
【００１３】
上記の目的を達成すべく、本発明の第４態様によれば、広帯域無線通信システムにおける端末の動作方法は、基地局からＭＡＣ管理メッセージを受信する過程と、前記メッセージに含まれたエントリー試みの禁止を表すタイマー値を確認する過程と、前記タイマーの満了時点まで前記基地局に対してエントリー試みの禁止を設定する過程とを含むことを特徴とする。
【００１４】
上記の目的を達成すべく、本発明の第５態様によれば、回路（ｃｉｒｃｕｉｔ）は、端末の無線通信網の基地局へのエントリー（ｅｎｔｒｙ）試みを禁止することを判断する制御機を備え、前記制御機は、エントリー試みの禁止を表すタイマー値を含むＭＡＣ（Ｍｅｄｉａ  Ａｃｃｅｓｓ  Ｃｏｎｔｒｏｌ）管理メッセージを生成する手順を構成し、前記タイマー値は、前記エントリーが禁止される期間を指定することを特徴とする。
【００１５】
上記の目的を達成すべく、本発明の第６態様によれば、方法（ｍｅｔｈｏｄ）は、端末の無線通信網の基地局へのエントリー試みを禁止することを判断する過程と、エントリー試みの禁止を表すタイマー値を含むＭＡＣ（Ｍｅｄｉａ  Ａｃｃｅｓｓ  Ｃｏｎｔｒｏｌ）管理メッセージを処理する過程と、を含み、前記タイマー値は、前記エントリーが禁止される期間を指定することを特徴とする。
【図面の簡単な説明】
【００１６】
【図１】本発明による広帯域無線通信システムにおける初期レンジング（ｉｎｉｔｉａｌ  ｒａｎｇｉｎｇ）手順時の信号の交換例を示す図である。
【図２】本発明による広帯域無線通信システムにおけるハンドオーバ（ｈａｎｄｏｖｅｒ）手順時の信号の交換例を示す図である。
【図３】本発明の実施の形態による広帯域無線通信システムにおける基地局のブロック構成を示す図である。
【図４】本発明の実施の形態による広帯域無線通信システムにおける端末のブロック構成を示す図である。
【図５】本発明の実施の形態による広帯域無線通信システムにおける基地局の動作手順を示す図である。
【図６】本発明の実施の形態による広帯域無線通信システムにおける端末の動作手順を示す図である。
【発明を実施するための形態】
【００１７】
以下、本発明は、広帯域無線通信システムにおける端末の不必要なエントリー試み及び接続手順の遂行を防止するための技術について説明する。以下、本発明は、直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、以下、「ＯＦＤＭＡ」とする）方式の無線通信システムを例に挙げて説明し、他の方式の無線通信システムにも同様に適用されることができる。
【００１８】
端末のエントリー試みを制限するために、本発明は、エントリー制限タイマー情報を交換するためのＴＬＶ（Ｔｙｐｅ  Ｌｅｎｇｔｈ  Ｖａｌｕｅ）を下の＜表１＞のように定義する。本発明で定義されるＴＬＶは、多様なＭＡＣ（Ｍｅｄｉａ  Ａｃｃｅｓｓ  Ｃｏｎｔｒｏｌ）管理メッセージ、例えば、ＲＮＧ−ＲＳＰ（ＲａＮＧｉｎｇ−ＲｅＳＰｏｎｓｅ）メッセージ、ＢＳＨＯ−ＲＥＱ（Ｂａｓｅ  Ｓｔａｔｉｏｎ  ＨａｎｄＯｖｅｒ−ＲＥＱｕｅｓｔ）メッセージ、ＢＳＨＯ−ＲＳＰ（Ｂａｓｅ  Ｓｔａｔｉｏｎ  ＨａｎｄＯｖｅｒ−ＲｅＳＰｏｎｓｅ）メッセージなどに含まれることができる。
【００１９】
【表１】
2011507384.tif 000010
＜表１＞に示したように、本発明によって端末のエントリーを制限するためのＴＬＶは、タイマー値を表す。ＴＬＶの長さは１バイトであり、値は１００ミリセカンド単位の時間を表現し、値が０の場合、エントリー制限時間が無限であるのを意味する。以下、説明の便宜上、本発明は、＜表１＞のようなＴＬＶを「エントリー制限タイマーＴＬＶ」と称する。
【００２０】
本発明によるエントリー制限タイマーＴＬＶを使用する場合、初期レンジング（ｉｎｉｔｉａｌ  ｒａｎｇｉｎｇ）手順による基地局と端末との間の信号交換を説明すれば、以下のとおりである。図１は、本発明による広帯域無線通信システムにおける初期レンジング手順時の信号の交換例を示している。
【００２１】
図１に示すように、端末１１０は、ネットワークエントリーのために基地局１２０にＲＮＧ−ＲＥＱ（ＲａＮＧｉｎｇ−ＲＥＱｕｅｓｔ）メッセージを送信する（ステップ１０１）。
【００２２】
ＲＮＧ−ＲＥＱメッセージを受信した基地局１２０は、端末１１０が自身に接続したいことを認知し、エントリーを許容するか否かを決定する。エントリーの許容に対する判断の結果、基地局１２０は、自身へのエントリーを許容できないと判断する（ステップ１０３）。例えば、基地局１２０は、資源不足、サービス不可などの理由によって端末１１０のエントリーを許容できないと判断する。
【００２３】
これにより、基地局１２０は、端末１１０へエントリー制限タイマーＴＬＶを含むＲＮＧ−ＲＳＰメッセージを送信する（ステップ１０５）。すなわち、基地局１２０は、自身へのエントリーを拒否することを知らせるための「ａｂｏｒｔ」と設定されたレンジング状態ＴＬＶ（ｒａｎｇｉｎｇ  ｓｔａｔｕｓ  ＴＬＶ）及び自身へのエントリーを所定時間の間に禁止することを知らせるためのエントリー制限タイマーＴＬＶを含むＲＮＳ−ＲＳＰメッセージを送信する。ここで、エントリー制限タイマーＴＬＶは、エントリーを禁止する時間情報を含む。このとき、基地局は、ＲＮＧ−ＲＳＰメッセージにダウンリンク周波数オーバーライドＴＬＶ（ｄｏｗｎｌｉｎｋ  ｆｒｅｑｕｅｎｃｙ  ｏｖｅｒｒｉｄｅ  ＴＬＶ）を含めることができる。ダウンリンク周波数オーバーライドＴＬＶは、端末に他のＦＡ（ｆｒｅｑｕｅｎｃｙ  Ａｌｌｏｃａｔｉｏｎ）を介したエントリー要請を導くためのものであって、端末に勧める他のＦＡの情報を含む。
【００２４】
エントリー制限タイマーＴＬＶを含むＲＮＧ−ＲＳＰメッセージを受信した端末１１０は、自身のエントリー要請が拒否されたことを認知し、同時に、エントリー制限タイマーＴＬＶを確認することによって、所定時間の間に基地局１２０へのエントリー試みが禁止されることを認知する（ステップ１０７）。
【００２５】
次に、端末１１０は、所定時間の間に基地局１２０へのエントリーを試みずに、接続可能な他の基地局をスキャニングする（ステップ１０９）。万一、ＲＮＧ−ＲＳＰメッセージにダウンリンク周波数オーバーライドＴＬＶが含まれている場合、端末１１０は、他のＦＡ、すなわち、ダウンリンク周波数オーバーライドＴＬＶにより指示されるＦＡで接続可能な基地局をスキャニングする。一方、ＲＮＧ−ＲＳＰメッセージにダウンリンク周波数オーバーライドＴＬＶが含まれていない場合、端末１１０は、同じＦＡで接続可能な基地局をスキャニングする。
【００２６】
図１に示した過程の後、端末１１０は、ステップ１０９でのスキャニングの後に再度ネットワークエントリー手順を行う。このとき、基地局１２０が最も適切な、すなわち、最も良好なチャネル状態を有する基地局と判断されても、端末１１０は、ステップ１０７にて確認された所定時間が経過していないと、基地局１２０へのエントリーを試みない。
【００２７】
本発明によるエントリー制限タイマーＴＬＶを使用する場合、ハンドオーバ（ｈａｎｄｏｖｅｒ）手順による基地局と端末との間の信号交換を説明すると、以下のとおりである。図２は、本発明による広帯域無線通信システムにおけるハンドオーバ手順時の信号の交換例を示している。
【００２８】
図２に示すように、端末２１０は、隣接基地局へのハンドオーバを行うために、サービング基地局２２０にＭＯＢ＿ＭＳＨＯ−ＲＥＱメッセージを送信する（ステップ２０１）。ここで、ＭＯＢ＿ＭＳＨＯ−ＲＥＱメッセージは、ターゲット基地局２３０の情報を含む。
【００２９】
ＭＯＢ＿ＭＳＨＯ−ＲＥＱメッセージを受信したサービング基地局２２０は、ターゲット基地局２３０にＨＯ＿ｐｒｅ＿ｎｏｔｉｆｉｃａｔｉｏｎ（ＨａｎｄＯｖｅｒ＿ｐｒｅ＿ｎｏｔｉｆｉｃａｔｉｏｎ）メッセージを送信する（ステップ２０３）。ＨＯ＿ｐｒｅ＿ｎｏｔｉｆｉｃｉａｔｏｎメッセージは、端末２１０のエントリーに対して受け入れるか否かを確認するためのメッセージである。
【００３０】
ＨＯ＿ｐｒｅ＿ｎｏｔｉｆｉｃａｔｉｏｎメッセージを受信したターゲット基地局２３０は、端末２１０のエントリーを受け入れることができると判断し、これを知らせるＨＯ＿ｐｒｅ＿ｎｏｔｉｆｉｃａｔｉｏｎ−ＲＳＰ（ＨａｎｄＯｖｅｒ＿ｐｒｅ＿ｎｏｔｉｆｉｃａｔｉｏｎ−ＲｅＳＰｏｎｓｅ）メッセージを送信する（ステップ２０５）。
【００３１】
ＨＯ＿ｐｒｅ＿ｎｏｔｉｆｉｃａｔｉｏｎ−ＲＳＰメッセージを受信したサービング基地局２２０は、エントリー制限タイマーＴＬＶを含むＭＯＢ＿ＢＳＨＯ−ＲＳＰメッセージを送信する（ステップ２０７）。すなわち、サービング基地局２２０は、端末２１０のエントリーを受け入れることができると応答したターゲット基地局２３０の情報及び自身へのエントリーを所定時間の間に禁止することを知らせるためのエントリー制限タイマーＴＬＶを含むＭＯＢ＿ＢＳＨＯ−ＲＳＰメッセージを送信する。
【００３２】
ＭＯＢ＿ＢＳＨＯ−ＲＳＰメッセージを受信した端末２１０は、ターゲット基地局２３０が自身のエントリーを受け入れることができることを認知し、同時に、エントリー制限タイマーＴＬＶを確認することによって、所定時間の間はサービング基地局２２０へのエントリー試みが禁止されることを認知する（ステップ２０９）。
【００３３】
その後、ターゲット基地局２３０へのハンドオーバを決定した端末２１０は、ターゲット基地局２３０に対してハンドオーバを行うことをサービング基地局２２０に知らせるためのＭＯＢ＿ＨＯ−ＩＮＤメッセージを送信する（ステップ２１１）。
【００３４】
ＭＯＢ＿ＨＯ−ＩＮＤメッセージを受信したサービング基地局２２０は、ターゲット基地局２３０に端末２１０の情報を提供する（ステップ２１３）。例えば、端末２１０の情報は、使用中のサービス情報、端末２１０の能力情報などを含む。
【００３５】
その後、端末２１０とターゲット基地局２３０とは、接続手順のためのメッセージを交換し初期接続を行う（ステップ２１５）。
【００３６】
図２に示す過程の後、端末２１０は、サービング基地局２２０へのハンドオーバを判断しても、ステップ２０９にて確認された所定時間が経過していないと、サービング基地局２２０へのハンドオーバ、すなわち、エントリーを試みない。換言すれば、所定時間が経過していないと、端末２１０は、サービング基地局２２０へのハンドオーバを中断する。
【００３７】
図２において、ターゲット基地局候補として一つのターゲット基地局のみが示されているが、これは説明の便宜のためであり、多数のターゲット基地局候補が存在できる。
【００３８】
以下、本発明は、上述したようにエントリーを制限するための基地局及び端末の構成及び動作手順を、図面を参照して詳細に説明する。
【００３９】
図３は、本発明の実施の形態による広帯域無線通信システムにおける基地局のブロック構成を示している。
【００４０】
図３に示すように、基地局は、ＲＦ（Ｒａｄｉｏ  Ｆｒｅｕｑｅｎｃｙ）受信機３０２、ＯＦＤＭ復調器３０４、副搬送波デマッパー３０６、シンボル復調器３０８、復号化器３１０、レンジングコード検出器３１２、メッセージ解析器３１４、ＭＡＣ制御機３１６、メッセージ生成器３１８、符号化器３２０、シンボル変調器３２２、副搬送波マッパー３２４、ＯＦＤＭ変調器３２６、ＲＦ送信機３２８を備える。
【００４１】
ＲＦ受信機３０２は、アンテナを介して受信されるＲＦ帯域信号をベースバンド信号にダウン変換する。ＯＦＤＭ復調器３０４は、ＲＦ受信機３０２から提供される信号をＯＦＤＭシンボル単位に区分した後、サイクリックプレフィックス（ＣＰ）を除去し、ＦＦＴ（Ｆａｓｔ  Ｆｏｕｒｉｅｒ  Ｔｒａｎｓｆｏｒｍ）演算を介して周波数領域にマッピングされた複素シンボルを復元する。副搬送波デマッパー３０６は、周波数領域にマッピングされた複素シンボルを処理単位に取り出す。例えば、副搬送波デマッパー３０６は、レンジング副搬送波にマッピングされた信号を取り出して、レンジングコード検出器３１２に提供する。シンボル復調器３０８は、複素シンボルを復調してビット列に変換する。復号化器３１０は、ビット列をチャネル復号化（ｃｈａｎｎｅｌ  ｄｅｃｏｄｉｎｇ）して情報ビット列を復元する。
【００４２】
レンジングコード検出器３１２は、端末により送信されたレンジングコードを検出する。すなわち、レンジングコード検出器３１２は、レンジング副搬送波にマッピングされた信号を予め約束されたレンジングコードと相関演算することで、どのレンジングコードが送信されたかを検出する。
【００４３】
メッセージ解析器３１４は、端末から受信されるＭＡＣ管理メッセージを解析する。例えば、メッセージ解析器３１４は、端末のネットワークエントリーのためのＲＮＧ−ＲＥＱメッセージを解析することによって、ネットワークエントリーを行おうとする端末を確認する。また、メッセージ解析器３１４は、端末のハンドオーバ要請のためのＭＯＢ＿ＭＳＨＯ−ＲＥＱメッセージを解析することによって、候補ターゲット基地局を確認し、端末により決定されたターゲット基地局情報を含むＭＯＢ＿ＨＯ−ＩＮＤメッセージを解析することによって、端末の情報を提供しなければならないターゲット基地局を確認する。
【００４４】
ＭＡＣ制御機３１６は、基地局のＭＡＣ階層に対する全般的な機能を制御する。例えば、端末の初期レンジング試みの際、ＭＡＣ制御機３１６は、無線資源余裕及びサービスが可能か否かなどに基づいて端末のエントリーを許容するか否かを判断する。また、端末のハンドオーバ要請の際、ＭＡＣ制御機３１６は、ターゲット基地局に端末のハンドオーバに対して受け入れ可能か否かを確認するように制御する。
【００４５】
特に、本発明によって、ＭＡＣ制御機３１６は、端末のエントリー試みの禁止を判断する。ここで、エントリーは、初期レンジング又はハンドオーバによる基地局接続を意味する。すなわち、端末の初期レンジングを介した自身へのエントリーを拒否する場合、ＭＡＣ制御機３１６は、エントリー拒否された端末に所定時間の間に自身へのエントリー試みを禁止する。また、端末が隣接基地局にハンドオーバを行う場合、ＭＡＣ制御機３１６は、ハンドオーバを行う端末に所定時間の間に自身へのエントリー試み、すなわち、自身へのハンドオーバ試みを禁止する。
【００４６】
メッセージ生成器３１８は、端末に送信されるＭＡＣ管理メッセージを生成する。例えば、メッセージ生成器３１８は、端末のレンジング試みに対する応答であるＲＮＧ−ＲＳＰメッセージ、端末のハンドオーバ要請に対する応答であるＭＯＢ＿ＢＳＨＯ−ＲＳＰメッセージ、端末にハンドオーバを要請するためのＭＯＢ−ＢＳＨＯ−ＲＥＱメッセージを生成する。特に、本発明によって、メッセージ生成器３１８は、所定時間自身へのエントリー試みを禁止することを表すパラメータ、すなわち、エントリー制限タイマーＴＬＶを含むＭＡＣ管理メッセージを生成する。ここで、エントリーは、初期レンジング又はハンドオーバを介したエントリーを意味する。例えば、エントリー制限タイマーＴＬＶは、ＲＮＧ−ＲＳＰメッセージ、ＭＯＢ＿ＢＳＨＯ−ＲＳＰメッセージ、ＭＯＢ＿ＢＳＨＯ−ＲＥＱメッセージなどに含まれることができ、＜表１＞のように構成される。ＭＡＣ管理メッセージがＲＮＧ−ＲＳＰメッセージである場合、ＲＮＧ−ＲＳＰメッセージは、エントリー制限タイマーＴＬＶ、エントリー拒否を表すパラメータ、エントリーを勧める他のＦＡを知らせるパラメータのうち、少なくとも一つを含む。また、ＭＡＣ管理メッセージがＭＯＢ＿ＢＳＨＯ−ＲＳＰメッセージ又はＭＯＢ＿ＢＳＨＯ−ＲＥＱメッセージである場合、ＭＯＢ＿ＢＳＨＯ−ＲＳＰメッセージ又はＭＯＢ＿ＢＳＨＯ−ＲＥＱメッセージは、エントリー制限タイマーＴＬＶ、ハンドオーバを受け入れることのできるターゲット基地局候補の情報のうち、少なくとも一つを含む。
【００４７】
符号化器３２０は、情報ビット列をチャネル符号化（ｃｈａｎｎｅｌ  ｃｏｄｉｎｇ）する。シンボル変調器３２２は、チャネル符号化されたビット列を復調して複素シンボルに変換する。副搬送波マッパー３２４は、複素シンボルを周波数領域にマッピングする。ＯＦＤＭ変調器３２６は、ＩＦＦＴ（Ｉｎｖｅｒｓｅ  Ｆａｓｔ  Ｆｏｕｒｉｅｒ  Ｔｒａｎｓｆｏｒｍ）演算を介して周波数領域にマッピングされた複素シンボルを時間領域信号に変換し、ＣＰを挿入してＯＦＤＭシンボルを構成する。ＲＦ送信機３２８は、ベースバンド信号をＲＦ帯域信号にアップ変換し、アンテナを介して送信する。
【００４８】
図４は、本発明の実施の形態による広帯域無線通信システムにおける端末のブロック構成を示している。
【００４９】
図４に示すように、端末は、ＲＦ受信機４０２、ＯＦＤＭ復調器４０４、副搬送波デマッパー４０６、シンボル復調器４０８、復号化器４１０、信号強度測定器４１２、メッセージ解析器４１４、ＭＡＣ制御機４１６、メッセージ生成器４１８、符号化器４２０、シンボル変調器４２２、副搬送波マッパー４２４、ＯＦＤＭ変調器４２６、ＲＦ送信機４２８を備える。
【００５０】
ＲＦ受信機４０２は、アンテナを介して受信されるＲＦ帯域信号をベースバンド信号にダウン変換する。ＯＦＤＭ復調器４０４は、ＲＦ受信機４０２から提供される信号をＯＦＤＭシンボル単位に区分した後、ＣＰを除去し、ＦＦＴ演算を介して周波数領域にマッピングされた複素シンボルを復元する。副搬送波デマッパー４０６は、周波数領域にマッピングされた複素シンボルを処理単位に取り出す。例えば、ネットワークエントリー又はハンドオーバのための基地局スキャニングの際、副搬送波デマッパー４０６は、スキャニングのための信号、例えば、プリアンブル信号を取り出して信号強度測定器４１２に提供する。シンボル復調器４０８は、複素シンボルを復調してビット列に変換する。復号化器４１０は、ビット列をチャネル復号化して情報ビット列を復元する。
【００５１】
信号強度測定器４１２は、基地局からの受信信号強度を測定する。例えば、受信信号強度は、ＲＳＳＩ（Ｒｅｃｅｉｖｅｄ  Ｓｉｇｎａｌ  Ｓｔｒｅｎｇｔｈ  Ｉｎｄｉｃａｔｉｏｎ）、ＳＮＲ（Ｓｉｇｎａｌ  ｔｏ  Ｎｏｉｓｅ  Ｒａｔｉｏ）、ＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）、ＣＩＮＲ（Ｃａｒｒｉｅｒ  ｔｏ  Ｉｎｔｅｒｆｅｒｅｎｃｅ  ａｎｄ  Ｎｏｉｓｅ  Ｒａｔｉｏ）などで表現されることができる。
【００５２】
メッセージ解析器４１４は、基地局から受信されるＭＡＣ管理メッセージを解析する。例えば、メッセージ解析器４１４は、初期レンジング試みに対する応答であるＲＮＧ−ＲＳＰメッセージを解析することによって、初期レンジングを許容するか否かを確認し、ハンドオーバ要請に対する応答であるＭＯＢ＿ＢＳＨＯ−ＲＳＰメッセージを解析することによって、ハンドオーバを受け入れることのできるターゲット基地局を確認し、端末にハンドオーバを要請するためのＭＯＢ−ＢＳＨＯ−ＲＥＱメッセージを解析することによって、ハンドオーバに対して受け入れ可能なターゲット基地局を確認する。特に、本発明によるメッセージ解析器４１４は、所定時間の間に基地局へのエントリー試みを禁止することを表すパラメータ、すなわち、エントリー制限タイマーＴＬＶを確認する。ここで、エントリーは、初期レンジング又はハンドオーバによる基地局接続を意味する。例えば、エントリー制限タイマーＴＬＶは、ＲＮＧ−ＲＳＰメッセージ、ＭＯＢ＿ＢＳＨＯ−ＲＳＰメッセージ、ＭＯＢ＿ＢＳＨＯ−ＲＥＱメッセージなどに含まれることができ、＜表１＞のように構成される。
【００５３】
ＭＡＣ制御機４１６は、端末のＭＡＣ階層に対する全般的な機能を制御する。例えば、端末の初期レンジング試みの際、ＭＡＣ制御機４１６は、ＲＮＧ−ＲＥＱメッセージを生成及び送信するように制御する。また、ハンドオーバ要請の際、ＭＡＣ制御機４１６は、収集されたターゲット基地局候補の情報を含むＭＯＢ＿ＭＳＨＯ−ＲＥＱメッセージを生成及び送信するように制御する。そして、ＭＡＣ制御機４１６は、初期レンジング試みに対する応答であるＲＮＧ−ＲＳＰメッセージに含まれたレンジングを許容するか否かに対する情報に応じて、端末の動作を制御する。例えば、初期レンジングを介した基地局へのエントリーが拒否される場合、ＭＡＣ制御機４１６は、ネットワークエントリーのための他の基地局をスキャニングするように制御する。また、ＭＡＣ制御機４１６は、ハンドオーバ要請に対する応答であるＭＯＢ＿ＢＳＨＯ−ＲＳＰメッセージに含まれたハンドオーバを受け入れ可能なターゲット基地局候補情報に応じて、端末の動作を制御する。すなわち、ＭＡＣ制御機４１６は、ハンドオーバを受け入れ可能なターゲット基地局候補のうちの何れか一つのターゲット基地局を選択し、これを知らせるためのＭＯＢ＿ＨＯ−ＩＮＤメッセージを送信するように制御する。
【００５４】
特に、本発明によるＭＡＣ制御機４１６は、受信されたＭＡＣ管理メッセージに含まれたエントリー制限タイマーＴＬＶが確認されると、エントリー禁止タイマーＴＬＶにより指示される所定時間の間に、すなわち、タイマーの満了時点まで、ＭＡＣ管理メッセージを送信した基地局へのエントリーを禁止する。例えば、ＲＮＧ−ＲＳＰメッセージにエントリー制限タイマーＴＬＶが含まれた場合、ＭＡＣ制御機４１６は、所定時間の間、ＲＮＧ−ＲＳＰを送信した基地局へのエントリー試み、すなわち、初期レンジング試みを禁止する。すなわち、ネットワークエントリーのために基地局をスキャニングした結果、レンジング応答メッセージを送信した基地局が再度選択された場合、ＭＡＣ制御機４１６は、所定時間が経過していない場合、レンジング応答メッセージを送信した基地局を除いた残りの基地局のうち、何れか一つの基地局に初期レンジングを試みるように制御する。また、ＭＯＢ＿ＢＳＨＯ−ＲＳＰメッセージ又はＭＯＢ＿ＢＳＨＯ−ＲＥＱメッセージにエントリー制限タイマーＴＬＶが含まれた場合、ＭＡＣ制御機４１６は、所定時間の間にＭＯＢ＿ＢＳＨＯ−ＲＳＰを送信した基地局へのエントリー試み、すなわち、ハンドオーバ試みを禁止する。
【００５５】
メッセージ生成器４１８は、基地局に送信されるＭＡＣ管理メッセージを生成する。例えば、メッセージ生成器４１８は、ハンドオーバ要請のためのＭＯＢ＿ＭＳＨＯ−ＲＥＱメッセージ、決定されたターゲット基地局情報を含むＭＯＢ＿ＨＯ−ＩＮＤメッセージ、初期レンジングのためのＲＮＧ−ＲＥＱメッセージを生成する。
【００５６】
符号化器４２０は、情報ビット列をチャネル符号化する。シンボル変調器４２２は、チャネル符号化されたビット列を復調して複素シンボルに変換する。副搬送波マッパー４２４は、複素シンボルを周波数領域にマッピングする。ＯＦＤＭ変調器４２６は、ＩＦＦＴ演算を介して周波数領域にマッピングされた複素シンボルを時間領域信号に変換し、ＣＰを挿入してＯＦＤＭシンボルを構成する。ＲＦ送信機４２８は、ベースバンド信号をＲＦ帯域信号にアップ変換し、アンテナを介して送信する。
【００５７】
図５は、本発明の実施の形態による広帯域無線通信システムにおける基地局の動作手順を示している。
【００５８】
図５に示すように、基地局は、ステップ５０１にて端末が隣接基地局にハンドオーバを行うか、又は端末の初期ネットワークエントリーが拒否されるか否かを確認する。具体的に説明すると、端末のハンドオーバの際、基地局は、ターゲット基地局候補のうち、少なくとも一つのターゲット基地局候補が端末のハンドオーバを受け入れることができるか否かを確認する。又は、初期レンジングを介した端末のエントリー要請が発生した場合、基地局は、資源不足又はサービス不可の理由でエントリーが拒否されているか否かを確認する。
【００５９】
端末が隣接基地局にハンドオーバを行うか、又は端末の初期ネットワークエントリーが拒否されると、基地局は、ステップ５０３に進んで端末に対して所定時間の間に自身へのエントリー試みを禁止することを判断する。ここで、エントリーは、初期レンジング又はハンドオーバによる基地局接続を意味する。このとき、所定時間の長さは、具体的な実施の形態によって変わる。
【００６０】
端末のエントリー試みを禁止することを判断した後、基地局は、ステップ５０５に進んで、エントリー試みを禁止することを表すパラメータ、すなわち、エントリー制限タイマーＴＬＶを含むＭＡＣ管理メッセージを生成する。例えば、エントリー制限タイマーＴＬＶは、ＲＮＧ−ＲＳＰメッセージ、ＭＯＢ＿ＢＳＨＯ−ＲＳＰメッセージ、ＭＯＢ＿ＢＳＨＯ−ＲＥＱメッセージなどに含まれることができ、前述の＜表１＞のように構成される。ＭＡＣ管理メッセージがＲＮＧ−ＲＳＰメッセージである場合、ＲＮＧ−ＲＳＰメッセージは、エントリー制限タイマーＴＬＶ、エントリー拒否を表すパラメータ、エントリーを勧める他のＦＡを知らせるパラメータのうち、少なくとも一つを含む。また、ＭＡＣ管理メッセージがＭＯＢ＿ＢＳＨＯ−ＲＳＰメッセージ又はＭＯＢ＿ＢＳＨＯ−ＲＥＱメッセージである場合、ＭＯＢ＿ＢＳＨＯ−ＲＳＰメッセージ又はＭＯＢ＿ＢＳＨＯ−ＲＥＱメッセージは、エントリー制限タイマーＴＬＶ、ハンドオーバを受け入れることのできるターゲット基地局候補の情報のうち、少なくとも一つを含む。
【００６１】
以後、基地局は、ステップ５０７に進んで、ステップ５０５にて生成されたＭＡＣ管理メッセージを該当端末に送信する。
【００６２】
図６は、本発明の実施の形態による広帯域無線通信システムにおける端末の動作手順を示している。
【００６３】
図６に示すように、端末は、ステップ６０１にて基地局からＭＡＣ管理メッセージが受信されているかを確認する。
【００６４】
ＭＡＣ管理メッセージが受信されると、端末は、ステップ６０３に進んで、ＭＡＣ管理メッセージを解析することによって、エントリー試みを禁止することを表すパラメータ、すなわち、エントリー制限タイマーＴＬＶが含まれているか否かを確認する。ここで、エントリーは、初期レンジング又はハンドオーバによる基地局接続を意味する。例えば、エントリー制限タイマーＴＬＶは、ＲＮＧ−ＲＳＰメッセージ、ＭＯＢ＿ＢＳＨＯ−ＲＳＰメッセージ、ＭＯＢ＿ＢＳＨＯ−ＲＥＱメッセージなどに含まれることができ、前述の＜表１＞のように構成される。すなわち、端末は、ＲＮＧ−ＲＳＰメッセージ、ＭＯＢ＿ＢＳＨＯ−ＲＳＰメッセージ又はＭＯＢ＿ＢＳＨＯ−ＲＥＱメッセージを解析することによって、エントリー制限タイマーＴＬＶを確認する。万一、エントリー制限タイマーＴＬＶが含まれていないと、端末は、ステップ６０７に進む。
【００６５】
これに対し、エントリー制限タイマーＴＬＶが含まれていると、端末は、ステップ６０５に進んで、エントリー制限タイマーＴＬＶにより指示された所定時間の間に、すなわち、タイマーの満了時点までＭＡＣ管理メッセージを送信した基地局へのエントリー試みを禁止するように設定する。これによって、端末は、ネットワークエントリーのためのスキャニングの結果、基地局が最適の基地局として選択されるか、又は、ハンドオーバのためのスキャニングの結果、基地局が最適の基地局として選択されても、所定時間が経過していないと、基地局へのエントリーを試みない。
【００６６】
次に、端末は、ステップ６０７に進んで、受信されたＭＡＣ管理メッセージに応じてＭＡＣ階層の動作を行う。例えば、ＭＡＣ管理メッセージがＲＮＧ−ＲＳＰメッセージで、レンジング状態ＴＬＶが「ａｂｏｒｔ」と設定されている場合、端末は、ネットワークエントリーのための基地局をスキャニングする。又は、ＭＡＣ管理メッセージがＭＯＢ＿ＢＳＨＯ−ＲＳＰメッセージ又はＭＯＢ＿ＢＳＨＯ−ＲＥＱメッセージである場合、端末は、ハンドオーバするターゲット基地局を選択し、サービング基地局として選択されたターゲット基地局の情報を送信する。
【００６７】
広帯域無線通信システムにおける端末の初期レンジング拒否及びハンドオーバの際、エントリー試みを禁止することを表すパラメータを利用して再エントリー試みを制限することによって、端末の不必要なエントリー試み及びエントリー手順の遂行が防止される。
【手続補正２】
【補正対象書類名】特許請求の範囲
【補正対象項目名】全文
【補正方法】変更
【補正の内容】
【特許請求の範囲】
【請求項１】
端末の無線通信網の基地局へのエントリー（ｅｎｔｒｙ）試みを禁止することを判断する制御機を備え、
前記制御機は、エントリー試みの禁止を表すタイマー値を含むＭＡＣ（Ｍｅｄｉａ  Ａｃｃｅｓｓ  Ｃｏｎｔｒｏｌ）管理メッセージを生成する手順を構成し、
前記タイマー値は、前記エントリーが禁止される期間を指定することを特徴とする回路（ｃｉｒｃｕｉｔ）。
【請求項２】
前記エントリーは、初期レンジング及びハンドオーバ（ｈａｎｄｏｖｅｒ）のうちの何れか一つであることを特徴とする請求項１に記載の回路。
【請求項３】
前記ＭＡＣ管理メッセージは、前記端末からの初期レンジング要請に対する応答であるレンジング応答メッセージであることを特徴とする請求項２に記載の回路。
【請求項４】
前記レンジング応答メッセージは、前記初期レンジング要請の受諾又は拒否を知らせるレンジング状態情報を含むことを特徴とする請求項３に記載の回路。
【請求項５】
前記レンジング応答メッセージは、エントリーを勧める他のＦＡ（Ｆｒｅｑｕｅｎｃｙ  Ａｌｌｏｃａｔｉｏｎ）を知らせる情報を含むことを特徴とする請求項３に記載の回路。
【請求項６】
前記ＭＡＣ管理メッセージは、少なくとも一つのターゲット基地局に対する前記端末のスキャニングに対する応答であるハンドオーバ応答メッセージであることを特徴とする請求項２に記載の回路。
【請求項７】
前記ハンドオーバ応答メッセージは、前記端末がハンドオーバ可能な少なくとも一つのターゲット基地局候補に対する情報を含むことを特徴とする請求項６に記載の回路。
【請求項８】
前記ＭＡＣ管理メッセージは、前記端末にターゲット基地局へのハンドオーバを指示するハンドオーバ要請メッセージであることを特徴とする請求項２に記載の回路。
【請求項９】
前記制御機は、前記端末に含まれることを特徴とする請求項１に記載の回路。
【請求項１０】
前記端末は、前記エントリーが禁止される期間を決定するタイマーをさらに備えることを特徴とする請求項９に記載の回路。
【請求項１１】
前記端末は、前記基地局への初期レンジングが拒否された後、前記期間が満了するまで、前記基地局への初期レンジングの追加的試みを中断することを特徴とする請求項１０に記載の回路。
【請求項１２】
前記端末は、前記期間が満了するまで、前記基地局へのハンドオーバの追加的試みを中断することを特徴とする請求項１０に記載の回路。
【請求項１３】
前記制御機は、前記基地局に含まれることを特徴とする請求項１に記載の回路。
【請求項１４】
前記制御機は、前記端末の前記基地局への初期レンジング試みが前記時間期間の満了時まで禁止されるように、前記基地局により前記初期レンジングが拒否された後、前記タイマー値を前記端末に送信することを特徴とする請求項１３に記載の回路。
【請求項１５】
前記制御機は、前記端末の前記基地局へのハンドオーバ試みが前記期間の満了時まで禁止されるように、ハンドオーバが始まった後、前記タイマー値を前記端末に送信することを特徴とする請求項１３に記載の回路。
【請求項１６】
端末の無線通信網の基地局へのエントリー試みを禁止することを判断する過程と、
エントリー試みの禁止を表すタイマー値を含むＭＡＣ（Ｍｅｄｉａ  Ａｃｃｅｓｓ  Ｃｏｎｔｒｏｌ）管理メッセージを処理する過程と、を含み、
前記タイマー値は、前記エントリーが禁止される期間を指定することを特徴とする方法（ｍｅｔｈｏｄ）。
【請求項１７】
前記エントリーは、初期レンジング及びハンドオーバのうちの何れか一つであることを特徴とする請求項１６に記載の方法。
【請求項１８】
前記ＭＡＣ管理メッセージは、前記端末からの初期レンジング要請に対する応答であるレンジング応答メッセージであることを特徴とする請求項１７に記載の方法。
【請求項１９】
前記レンジング応答メッセージは、前記初期レンジング要請の受諾又は拒否を知らせるレンジング状態情報を含むことを特徴とする請求項１８に記載の方法。
【請求項２０】
前記レンジング応答メッセージは、エントリーを勧める他のＦＡ（Ｆｒｅｑｕｅｎｃｙ  Ａｌｌｏｃａｔｉｏｎ）を知らせる情報を含むことを特徴とする請求項１８に記載の方法。
【請求項２１】
前記ＭＡＣ管理メッセージは、少なくとも一つのターゲット基地局に対する前記端末のスキャニングに対する応答であるハンドオーバ応答メッセージであることを特徴とする請求項１７に記載の方法。
【請求項２２】
前記ハンドオーバ応答メッセージは、前記端末がハンドオーバ可能な少なくとも一つのターゲット基地局候補に対する情報を含むことを特徴とする請求項２１に記載の方法。
【請求項２３】
前記ＭＡＣ管理メッセージは、前記端末にターゲット基地局へのハンドオーバを指示するハンドオーバ要請メッセージであることを特徴とする請求項１７に記載の方法。
【請求項２４】
前記ＭＡＣ管理メッセージを処理する過程は、前記端末が前記基地局から前記ＭＡＣメッセージを受信する過程を含むことを特徴とする請求項１６に記載の方法。
【請求項２５】
前記基地局への初期レンジングが拒否された後、前記期間が満了するまで、前記基地局への初期レンジングの追加的試みを中断する過程をさらに含むことを特徴とする請求項２４に記載の方法。
【請求項２６】
前記期間が満了するまで、前記基地局へのハンドオーバの追加的試みを中断する過程をさらに含むことを特徴とする請求項２４に記載の方法。
【請求項２７】
前記ＭＡＣ管理メッセージを処理する過程は、前記基地局が前記ＭＡＣ管理メッセージを前記端末に送信する過程を含むことを特徴とする請求項１６に記載の方法。
【請求項２８】
前記ＭＡＣ管理メッセージを処理する過程は、前記端末の前記基地局への初期レンジング試みが前記期間の満了時まで禁止されるように、前記基地局により前記初期レンジングが拒否された後、前記タイマー値を前記端末に送信する過程を含むことを特徴とする請求項２７に記載の方法。
【請求項２９】
前記ＭＡＣ管理メッセージを処理する過程は、前記端末の前記基地局へのハンドオーバ試みが前記期間の満了時まで禁止されるように、ハンドオーバが始まった後、前記タイマー値を前記端末に送信する過程を含むことを特徴とする請求項２７に記載の方法。
【請求項３０】
広帯域無線通信システムにおける基地局装置であって、
端末のエントリー（ｅｎｔｒｙ）試みを禁止することを判断する制御機と、
エントリー試みの禁止を表すタイマー値を含むＭＡＣ（Ｍｅｄｉａ  Ａｃｃｅｓｓ  Ｃｏｎｔｒｏｌ）管理メッセージを生成する生成器と、
前記端末に前記ＭＡＣ管理メッセージを送信する送信機と、
を備えることを特徴とする装置。
【請求項３１】
前記タイマー値は、前記端末のネットワークエントリー試みを禁止する期間（ｔｉｍｅ  ｐｅｒｉｏｄ）を表すことを特徴とする請求項３０に記載の装置。
【請求項３２】
前記制御機は、前記端末の初期レンジング（ｉｎｉｔｉａｌ  ｒａｎｇｉｎｇ）が拒否される場合、前記端末のエントリー試みを禁止することを判断し、
前記ＭＡＣ管理メッセージは、前記タイマー値、エントリー拒否を知らせるパラメータ及びエントリーを勧める他のＦＡ（Ｆｒｅｑｕｅｎｃｙ  Ａｌｌｏｃａｔｉｏｎ）を知らせるパラメータのうち、少なくとも一つを含むレンジング応答（ｒａｎｇｉｎｇ  ｒｅｓｐｏｎｓｅ）メッセージを含むことを特徴とする請求項３１に記載の装置。
【請求項３３】
前記制御機は、前記端末が隣接基地局にハンドオーバ（ｈａｎｄｏｖｅｒ）を行う場合、前記端末のエントリー試みを禁止することを判断し、
前記ＭＡＣ管理メッセージは、前記タイマー値、ハンドオーバを受け入れることのできる少なくとも一つのターゲット基地局候補の情報のうち、少なくとも一つを含むハンドオーバ応答メッセージを含むことを特徴とする請求項３１に記載の装置。
【請求項３４】
前記制御機は、前記端末に隣接基地局へのハンドオーバを要請する場合、前記端末のエントリー試みを禁止することを判断し、
前記ＭＡＣ管理メッセージは、前記タイマー値を含むハンドオーバ要請（ｈａｎｄｏｖｅｒ  ｒｅｑｕｅｓｔ）メッセージを含むことを特徴とする請求項３１に記載の装置。
【請求項３５】
広帯域無線通信システムにおける端末装置であって、
基地局からＭＡＣ（Ｍｅｄｉａ  Ａｃｃｅｓｓ  Ｃｏｎｔｒｏｌ）管理メッセージを受信する受信機と、
前記ＭＡＣ管理メッセージに含まれたエントリー試みの禁止を表すタイマー値を確認する解析器と、
前記タイマー値の満了時点まで前記基地局に対してエントリー試みの禁止を設定する制御機と、
を備えることを特徴とする装置。
【請求項３６】
前記タイマー値は、前記端末のネットワークエントリー試みを禁止する期間を表すことを特徴とする請求項３５に記載の装置。
【請求項３７】
前記解析器は、初期レンジングのためのレンジングコード送信に対する応答として受信される前記ＭＡＣ管理メッセージに含まれるレンジング応答メッセージから前記タイマー値を確認し、
前記制御機は、前記タイマー値が満了していないと、前記基地局へのエントリー試みを中断することを特徴とする請求項３６に記載の装置。
【請求項３８】
前記解析器は、ハンドオーバ要請に対する応答として受信される前記ＭＡＣ管理メッセージに含まれるハンドオーバ応答メッセージから前記タイマー値を確認し、
前記制御機は、前記タイマー値が満了していないと、前記基地局へのハンドオーバ試みを中断することを特徴とする請求項３６に記載の装置。
【請求項３９】
前記解析器は、前記基地局によるハンドオーバ要請を知らせる前記ＭＡＣ管理メッセージに含まれるハンドオーバ要請メッセージから前記タイマー値を確認し、
前記制御機は、前記タイマー値が満了していないと、前記基地局へのハンドオーバ試みを中断することを特徴とする請求項３６に記載の装置。
【請求項４０】
広帯域無線通信システムにおける基地局の動作方法であって、
端末のエントリー試みを禁止することを判断する過程と、
エントリー試みの禁止を表すタイマー値を含むＭＡＣ管理メッセージを生成する過程と、
前記端末に前記ＭＡＣ管理メッセージを送信する過程と、
を含むことを特徴とする方法。
【請求項４１】
前記タイマー値は、前記端末のネットワークエントリー試みを禁止する期間を表すことを特徴とする請求項４０に記載の方法。
【請求項４２】
前記端末のエントリー試みを禁止することを判断する過程は、
前記端末の初期レンジングが拒否される場合、前記端末のエントリー試みを禁止することを判断する過程を含み、
前記ＭＡＣ管理メッセージは、前記タイマー値、エントリー拒否を知らせるパラメータ及びエントリーを勧める他のＦＡを知らせるパラメータのうち、少なくとも一つを含むレンジング応答メッセージを含むことを特徴とする請求項４１に記載の方法。
【請求項４３】
前記端末のエントリー試みを禁止することを判断する過程は、
前記端末が隣接基地局にハンドオーバを行う場合、前記端末のエントリー試みを禁止することを判断する過程を含み、
前記ＭＡＣ管理メッセージは、前記タイマー値、ハンドオーバを受け入れることのできる少なくとも一つのターゲット基地局候補の情報のうち、少なくとも一つを含むハンドオーバ応答メッセージを含むことを特徴とする請求項４１に記載の方法。
【請求項４４】
前記端末のエントリー試みを禁止することを判断する過程は、
前記端末に隣接基地局へのハンドオーバを要請する場合、前記端末のエントリー試みを禁止することを判断する過程を含み、
前記ＭＡＣ管理メッセージは、前記タイマー値を含むハンドオーバ要請メッセージを含むことを特徴とする請求項４１に記載の方法。
【請求項４５】
広帯域無線通信システムにおける端末の動作方法であって、
基地局からＭＡＣ管理メッセージを受信する過程と、
前記ＭＡＣ管理メッセージに含まれたエントリー試みの禁止を表すタイマー値を確認する過程と、
前記タイマー値の満了時点まで前記基地局に対してエントリー試みの禁止を設定する過程と、
を含むことを特徴とする方法。
【請求項４６】
前記タイマー値は、前記端末のネットワークエントリー試みを禁止する期間を表すことを特徴とする請求項４５に記載の方法。
【請求項４７】
前記タイマー値を確認する過程は、
初期レンジングのためのレンジングコード送信に対する応答として受信される前記ＭＡＣ管理メッセージに含まれるレンジング応答メッセージから前記タイマー値を確認する過程を含み、
前記タイマー値が満了していないと、前記基地局へのエントリー試みを中断する過程をさらに含むことを特徴とする請求項４６に記載の方法。
【請求項４８】
前記タイマー値を確認する過程は、
ハンドオーバ要請に対する応答として受信される前記ＭＡＣ管理メッセージに含まれるハンドオーバ応答メッセージから前記タイマー値を確認する過程を含み、
前記タイマー値が満了していないと、前記基地局へのハンドオーバ試みを中断する過程をさらに含むことを特徴とする請求項４６に記載の方法。
【請求項４９】
前記タイマー値を確認する過程は、
前記基地局によるハンドオーバ要請を知らせる前記ＭＡＣ管理メッセージに含まれるハンドオーバ要請メッセージから前記タイマー値を確認する過程を含み、
前記タイマー値が満了していないと、前記基地局へのハンドオーバ試みを中断する過程をさらに含むことを特徴とする請求項４６に記載の方法。
【国際調査報告】
2011507384.tif 000011
2011507384.tif 000012